(57)【要約】【課題】中間調で表現された文字などが視認しやすい表示システム、プログラム及び表示方法を提供すること。【解決手段】表示システムは、入力されたカラー画像のデータから第１の画像データを生成する第１画像データ生成部と、前記第１の画像データを面積階調化した第２の画像データを生成する第２画像データ生成部と、前記第２の画像データに基づいて電子ペーパーに画像を表示させる処理を行う表示処理部と、を含み、前記第１データ生成部は、前記カラー画像のデータにおける第１のピクセルの輝度と前記第１のピクセルに隣接する第２のピクセルの輝度との差を拡大する処理を行うことを特徴とする。【選択図】図１
2014017808.tif 000002
【特許請求の範囲】
【請求項１】
入力されたカラー画像のデータから第１の画像データを生成する第１画像データ生成部と、
前記第１の画像データを面積階調化した第２の画像データを生成する第２画像データ生成部と、
前記第２の画像データに基づいて電子ペーパーに画像を表示させる処理を行う表示処理部と、を含み、
前記第１データ生成部は、前記カラー画像のデータにおける第１のピクセルの輝度と前記第１のピクセルに隣接する第２のピクセルの輝度との差を拡大する処理を行うことを特徴とする表示システム。
【請求項２】
前記第１の画像のデータにおける前記第１のピクセルの輝度値は、
前記カラー画像のデータにおける前記第１のピクセルの輝度値と前記カラー画像のデータにおける前記第１のピクセルの周囲の複数のピクセルの輝度値とから求めた値を、前記カラー画像のデータにおける前記第１のピクセルの輝度値に加算して算出した値であることを特徴とする請求項１に記載の表示システム。
【請求項３】
前記第１のピクセルは、前記カラー画像及び前記第１の画像における所定の図形の外縁のピクセルであり、
前記第２のピクセルは、前記所定の図形の外の前記第１のピクセルに隣接するピクセルであることを特徴とする請求項１又は２に記載の表示システム。
【請求項４】
入力されたカラー画像のデータから第１の画像データを生成する第１画像データ生成部と、
前記第１の画像データを面積階調化した第２の画像データを生成する第２画像データ生成部と、
前記第２の画像データに基づいて電子ペーパーに画像を表示させる処理を行う表示処理部と、としてコンピューターを機能させ、
前記第１データ生成部は、前記カラー画像のデータにおける第１のピクセルの輝度と前記第１のピクセルに隣接する第２のピクセルの輝度との差を拡大する処理を行うことを特徴とする表示プログラム。
【請求項５】
前記第１の画像のデータにおける前記第１のピクセルの輝度値は、
前記カラー画像のデータにおける前記第１のピクセルの輝度値と前記カラー画像のデータにおける前記第１のピクセルの周囲の複数のピクセルの輝度値とから求めた値を、前記カラー画像のデータにおける前記第１のピクセルの輝度値に加算して算出した値であることを特徴とする請求項４に記載の表示プログラム。
【請求項６】
前記第１のピクセルは、前記カラー画像及び前記第１の画像における所定の図形の外縁のピクセルであり、
前記第２のピクセルは、前記所定の図形の外の前記第１のピクセルに隣接するピクセルであることを特徴とする請求項４又は５に記載の表示プログラム。
【請求項７】
入力されたカラー画像のデータから第１の画像データを生成する第１の工程と、
前記第１の画像データを面積階調化した第２の画像データを生成する第２の工程と、
前記第２の画像データに基づいて電子ペーパーに画像を表示させる処理を行う第３の工程と、を含み、
前記第１データ工程は、前記カラー画像のデータにおける第１のピクセルの輝度と前記第１のピクセルに隣接する第２のピクセルの輝度との差を拡大する処理を行うことを特徴とする表示方法。
【請求項８】
前記第１の画像のデータにおける前記第１のピクセルの輝度値は、
前記カラー画像のデータにおける前記第１のピクセルの輝度値と前記カラー画像のデータにおける前記第１のピクセルの周囲の複数のピクセルの輝度値とから求めた値を、前記カラー画像のデータにおける前記第１のピクセルの輝度値に加算して算出した値であることを特徴とする請求項７に記載の表示方法。
【請求項９】
前記第１のピクセルは、前記カラー画像及び前記第１の画像における所定の図形の外縁のピクセルであり、
前記第２のピクセルは、前記所定の図形の外の前記第１のピクセルに隣接するピクセルであることを特徴とする請求項４又は５に記載の表示方法。
【発明の詳細な説明】
【技術分野】
【０００１】
本発明は、表示システム、表示プログラム及び表示方法に関する。
【背景技術】
【０００２】
近年、ＥＰＤ（Electrophoresis Display；電気泳動表示装置）など、紙媒体を代表とするハードコピーの長所を取り入れつつ、表示内容を電気的に書き換えることができる電子ペーパーの開発が進められている。ＥＰＤは、現在のパソコン等の表示デバイスとして用いられているＣＲＴ（Cathode Ray Tube）やＬＣＤ（Liquid Crystal Display）と比較して視認性がよく目が疲れにくいことや曲げることができ携帯性に優れていることを特徴とする。
【０００３】
実用化されている電子ペーパーの多くは、白と黒の２色を用いて画像を表示させるものが多い。そのため、カラー画像を電子ペーパーで表示させるためには、白と黒の２値に変換する必要がある。
【０００４】
カラー画像をモノクロプリンターで出力するために、カラー画像を白と黒の２値に変換する様々な技術が公開されている（特許文献１）。
【先行技術文献】
【特許文献】
【０００５】
【特許文献１】特開２００９−５３３１号公報
【発明の概要】
【発明が解決しようとする課題】
【０００６】
カラー画像を白と黒の２値に変換した場合には、特に中間調で表現された文字などが視認しにくい場合があった。
【０００７】
本発明は、以上のような問題点に鑑みてなされたものであり、本発明のいくつかの態様によれば、中間調で表現された文字などが視認しやすい表示システム、表示プログラム及び表示方法を提供することができる。
【課題を解決するための手段】
【０００８】
本発明は、以下の実施形態若しくは適用例として実施することができる。
本発明の適用例にかかるひとつの表示システムは、入力されたカラー画像のデータから第１の画像データを生成する第１画像データ生成部と、前記第１の画像データを面積階調化した第２の画像データを生成する第２画像データ生成部と、前記第２の画像データに基づいて電子ペーパーに画像を表示させる処理を行う表示処理部と、を含み、前記第１データ生成部は、前記カラー画像のデータにおける第１のピクセルの輝度と前記第１のピクセルに隣接する第２のピクセルの輝度との差を拡大する処理を行うことを特徴とする。
【０００９】
上記のひとつの表示システムにおいて、前記第１の画像のデータにおける前記第１のピクセルの輝度値は、前記カラー画像のデータにおける前記第１のピクセルの輝度値と前記カラー画像のデータにおける前記第１のピクセルの周囲の複数のピクセルの輝度値とから求めた値を、前記カラー画像のデータにおける前記第１のピクセルの輝度値に加算して算出した値であることが好ましい。
【００１０】
上記のひとつの表示システムにおいて、前記第１のピクセルは、前記カラー画像及び前記第１の画像における所定の図形の外縁のピクセルであり、前記第２のピクセルは、前記所定の図形の外の前記第１のピクセルに隣接するピクセルであることが好ましい。
【００１１】
本発明の適用例にかかるひとつの表示プログラムは、入力されたカラー画像のデータから第１の画像データを生成する第１画像データ生成部と、前記第１の画像データを面積階調化した第２の画像データを生成する第２画像データ生成部と、前記第２の画像データに基づいて電子ペーパーに画像を表示させる処理を行う表示処理部と、としてコンピューターを機能させ、前記第１データ生成部は、前記カラー画像のデータにおける第１のピクセルの輝度と前記第１のピクセルに隣接する第２のピクセルの輝度との差を拡大する処理を行うことを特徴とする。
【００１２】
上記のひとつのプログラムにおいて、前記第１の画像のデータにおける前記第１のピクセルの輝度値は、前記カラー画像のデータにおける前記第１のピクセルの輝度値と前記カラー画像のデータにおける前記第１のピクセルの周囲の複数のピクセルの輝度値とから求めた値を、前記カラー画像のデータにおける前記第１のピクセルの輝度値に加算して算出した値であることが好ましい。
【００１３】
上記のひとつのプログラムにおいて、前記第１のピクセルは、前記カラー画像及び前記第１の画像における所定の図形の外縁のピクセルであり、前記第２のピクセルは、前記所定の図形の外の前記第１のピクセルに隣接するピクセルであることが好ましい。
【００１４】
本発明の適用例にかかるひとつの表示方法は、入力されたカラー画像のデータから第１の画像データを生成する第１の工程と、前記第１の画像データを面積階調化した第２の画像データを生成する第２の工程と、前記第２の画像データに基づいて電子ペーパーに画像を表示させる処理を行う第３の工程と、を含み、前記第１データ工程は、前記カラー画像のデータにおける第１のピクセルの輝度と前記第１のピクセルに隣接する第２のピクセルの輝度との差を拡大する処理を行うことを特徴とする。
【００１５】
上記のひとつの表示方法において、前記第１の画像のデータにおける前記第１のピクセルの輝度値は、前記カラー画像のデータにおける前記第１のピクセルの輝度値と前記カラー画像のデータにおける前記第１のピクセルの周囲の複数のピクセルの輝度値とから求めた値を、前記カラー画像のデータにおける前記第１のピクセルの輝度値に加算して算出した値であることが好ましい。
【００１６】
上記のひとつの表示方法において、前記第１のピクセルは、前記カラー画像及び前記第１の画像における所定の図形の外縁のピクセルであり、前記第２のピクセルは、前記所定の図形の外の前記第１のピクセルに隣接するピクセルであることが好ましい。
【００１７】
［適用例１］
本適用例にかかる表示システムは、カラー画像に含まれる図形の外縁のピクセルである外縁ピクセルの輝度と、前記外縁ピクセルと隣り合うピクセルであって前記図形の外のピクセルである外隣ピクセルの輝度との差を、前記カラー画像のデータよりも所与の値だけ大きくした第１画像データを生成する第１画像データ生成部と、前記第１画像データを面積階調化した第２画像データを生成する第２画像データ生成部と、前記第２画像データに基づいて電子ペーパーに画像を表示させる処理を行う表示処理部と、を含み、前記第１画像データ生成部は、前記外縁ピクセルの輝度と、前記外縁ピクセルと隣り合うピクセルの輝度との差に基づいて、前記所与の値を決定することを特徴とする、表示システムである。
【００１８】
この適用例によれば、カラー画像に含まれる図形の外縁ピクセルの輝度と、外隣ピクセルの輝度との差を、カラー画像のデータよりも所与の値だけ大きくした第１画像データを面積階調化した第２画像データに基づいて電子ペーパーに画像を表示させるので、中間調で表現された図形の輪郭が強調された画像を表示できる。したがって、中間調で表現された文字などが視認しやすい表示システムを実現できる。
【００１９】
また、電子ペーパーの輝度入出力特性は、正比例ではないのが通常である。このため、第１画像データ生成部が、外縁ピクセルの輝度と、外縁ピクセルと隣り合うピクセルの輝度との差に基づいて所与の値を決定することよって、所与の値を固定値とする場合に比べて、図形の輪郭が不自然に強調されることを抑制できる表示システムを実現することができる。
【００２０】
［適用例２］
本適用例にかかる表示プログラムは、カラー画像に含まれる図形の外縁のピクセルである外縁ピクセルの輝度と、前記外縁ピクセルと隣り合うピクセルであって前記図形の外のピクセルである外隣ピクセルの輝度との差を、前記カラー画像のデータよりも所与の値だけ大きくした第１画像データを生成する第１画像データ生成部と、前記第１画像データを面積階調化した第２画像データを生成する第２画像データ生成部と、前記第２画像データに基づいて電子ペーパーに画像を表示させる処理を行う表示処理部と、してコンピューターを機能させ、前記第１画像データ生成部は、前記外縁ピクセルの輝度と、前記外縁ピクセルと隣り合うピクセルの輝度との差に基づいて、前記所与の値を決定することを特徴とする、表示プログラムである。
【００２１】
この適用例によれば、カラー画像に含まれる図形の外縁ピクセルの輝度と、外隣ピクセルの輝度との差を、カラー画像のデータよりも所与の値だけ大きくした第１画像データを面積階調化した第２画像データに基づいて電子ペーパーに画像を表示させるので、中間調で表現された図形の輪郭が強調された画像を表示できる。したがって、中間調で表現された文字などが視認しやすい表示システムを実現できる表示プログラムを実現することができる。
【００２２】
また、電子ペーパーの輝度入出力特性は、正比例ではないのが通常である。このため、例えば、電子ペーパーを含む表示装置の一部となるコンピューターや、電子ペーパーを含む表示装置と通信回線で接続されたコンピューターなどで実行される第１画像データ生成部が、外縁ピクセルの輝度と、外縁ピクセルと隣り合うピクセルの輝度との差に基づいて所与の値を決定することよって、所与の値を固定値とする場合に比べて、図形の輪郭が不自然に強調されることを抑制できる表示システムを実現できる表示プログラムを実現することができる。
【００２３】
［適用例３］
本適用例にかかる表示方法は、カラー画像に含まれる図形の外縁のピクセルである外縁ピクセルの輝度と、前記外縁ピクセルと隣り合うピクセルであって前記図形の外のピクセルである外隣ピクセルの輝度との差を、前記カラー画像のデータよりも所与の値だけ大きくした第１画像データを生成する第１画像データ生成工程と、前記第１画像データを面積階調化した第２画像データを生成する第２画像データ生成工程と、前記第２画像データに基づいて電子ペーパーに画像を表示させる処理を行う表示処理工程と、を含み、前記第１画像データ生成工程では、前記外縁ピクセルの輝度と、前記外縁ピクセルと隣り合うピクセルの輝度との差に基づいて、前記所与の値を決定することを特徴とする、表示方法である。
【００２４】
この適用例によれば、カラー画像に含まれる図形の外縁ピクセルの輝度と、外隣ピクセルの輝度との差を、カラー画像のデータよりも所与の値だけ大きくした第１画像データを面積階調化した第２画像データに基づいて電子ペーパーに画像を表示させるので、中間調で表現された図形の輪郭が強調された画像を表示できる。したがって、中間調で表現された文字などが視認しやすい表示方法を実現することができる。
【００２５】
また、電子ペーパーの輝度入出力特性は、正比例ではないのが通常である。このため、第１画像データ生成工程において、外縁ピクセルの輝度と、外縁ピクセルと隣り合うピクセルの輝度との差に基づいて所与の値を決定することよって、所与の値を固定値とする場合に比べて、図形の輪郭が不自然に強調されることを抑制できる表示方法を実現することができる。
【図面の簡単な説明】
【００２６】
【図１】本実施形態にかかる表示システム１の機能ブロック図である。
【図２】表示システム１をより具体的に表現した表示システム２の構成例を示す図である。
【図３】本実施形態にかかる表示方法を説明するためのフローチャートである。
【図４】図４（Ａ）及び図４（Ｂ）は、カラー画像Ｃ１に含まれる図形と、外縁ピクセル、内部ピクセル及び外隣ピクセルとの位置関係を説明するための図である。
【図５】カラー画像Ｃ１のデータにおけるピクセルの配置を説明するための図である。
【図６】第１具体例における係数イメージを示す図である。
【図７】図７は、カラー画像Ｃ１の一例を示す図である。
【図８】図７に示されるカラー画像Ｃ１から生成される第１画像データＤ１の一例を示す図である。
【図９】図９（Ａ）は、第１画像データＤ１に基づいて面積階調化したイメージを示す図、図９（Ｂ）は、カラー画像Ｃ１に基づいて面積階調化したイメージを示す図である。
【図１０】第２具体例における係数イメージを示す図である。
【発明を実施するための形態】
【００２７】
以下、本発明の好適な実施形態について図面を用いて詳細に説明する。用いる図面は説明の便宜上のものである。なお、以下に説明する実施形態は、特許請求の範囲に記載された本発明の内容を不当に限定するものではない。また以下で説明される構成の全てが本発明の必須構成要件であるとは限らない。
【００２８】
以下では、次のような順序にしたがって本発明の実施形態を説明する。
【００２９】
１．表示システム、プログラム及び表示方法の全体構成
２．第１画像データ生成部における処理の具体例
２−１．第１具体例
２−２．第２具体例
【００３０】
１．表示システム、プログラム及び表示方法の全体構成
図１は、本実施形態にかかる表示システム１の機能ブロック図である。
【００３１】
本実施形態にかかる表示システム１は、第１画像データ生成部１０と、第２画像データ生成部２０と、表示処理部３０と、電子ペーパー４０と、を有する。
【００３２】
第１画像データ生成部１０は、カラー画像Ｃ１に含まれる図形の外縁のピクセルである外縁ピクセルの輝度と、外縁ピクセルと隣り合うピクセルであって図形の外のピクセルである外隣ピクセルの輝度との差を、カラー画像Ｃ１のデータよりも所与の値Ｅ１だけ大きくした第１画像データＤ１を生成する。
【００３３】
第１画像データ生成部１０は、外縁ピクセルの輝度と、外縁ピクセルと隣り合うピクセルの輝度との差に基づいて、所与の値Ｅ１を決定する。
【００３４】
なお、第１画像データ生成部１０が行う処理の詳細については、「２．第１画像データ生成部における処理の具体例」の項で後述される。
【００３５】
第２画像データ生成部２０は、第１画像データ生成部１０で生成された第１画像データＤ１を面積階調化した第２画像データＤ２を生成する。第２画像データ生成部２０は、例えば、ディザー法や濃度パターン法など、種々の公知の方法を用いて第１画像データＤ１を面積階調化して第２画像データＤ２を生成してもよい。
【００３６】
表示処理部３０は、第２画像データ生成部２０で生成された第２画像データＤ２に基づいて電子ペーパー４０に画像を表示させる処理を行う。図１に示される例では、表示処理部３０は、第２画像データＤ２に基づいて生成された制御信号Ｓ１を電子ペーパー４０に出力することによって、電子ペーパー４０に画像を表示させる処理を行う。
【００３７】
電子ペーパー４０は、電気泳動法式、マイクロカプセル方式、電子粉流体方式、液晶方式、エレクトロウェッティング方式、化学変化方式など、種々の公知の電子ペーパーが組み込まれた表示モジュール又は表示装置であってもよい。
【００３８】
図２は、表示システム１をより具体的に表現した表示システム２の構成例を示す図である。図２に示される表示システム１は、パーソナルコンピューター１００と、表示装置２００を含んで構成されている。
【００３９】
パーソナルコンピューター１００は、処理部１１０、記憶部１２０、通信部１３０を含んで構成されている。表示装置２００は、処理部２１０、記憶部２２０、通信部２３０及び電子ペーパー４０を含んで構成されている。
【００４０】
図２に示される例では、第１画像データ生成部１０及び第２画像データ生成部２０は、処理部１１０の一部として構成されている。処理部１１０は、例えば、ＣＰＵ（Central Processing Unit）で構成されていてもよい。なお、第１画像データ生成部１０及び第２画像データ生成部２０は、専用の電子回路を用いて実現されてもよく、ＣＰＵで実行されるプログラムを用いて実現されてもよい。また、第１画像データ生成部１０及び第２画像データ生成部２０の少なくとも一方が、処理部２１０の一部として構成されていてもよい。
【００４１】
記憶部１２０は、処理部１１０が行う処理の一時的なワーキングメモリーとして機能してもよいし、カラー画像Ｃ１を記憶する記憶手段として機能してもよい。なお、カラー画像Ｃ１は、パーソナルコンピューター１００の外部の装置（不図示）から入力されてもよい。
【００４２】
通信部１３０は、通信回線を介してパーソナルコンピューター１００の外部と通信するためのインターフェースを提供する機能を有している。
【００４３】
図２に示される例では、表示処理部３０は、処理部２１０の一部として構成されている。処理部２１０は、例えば、ＣＰＵで構成されていてもよい。処理部２１０は、制御信号Ｓ１を出力することによって、電子ペーパー４０を制御する。なお、表示処理部３０は、専用の電子回路を用いて実現されてもよく、ＣＰＵで実行されるプログラムを用いて実現されてもよい。
【００４４】
記憶部２２０は、処理部２１０が行う処理の一時的なワーキングメモリーとして機能してもよい。
【００４５】
通信部２３０は、通信回線を介して表示装置２００の外部と通信するためのインターフェースを提供する機能を有している。
【００４６】
図２に示される例では、パーソナルコンピューター１００と表示装置２００とは、通信部１３０及び通信部２３０を介して接続されている。通信部１３０及び通信部２３０は、例えば、ＵＳＢ（Universal Serial Bus）などの種々の公知の通信回線であってもよい。
【００４７】
図２に示される例においては、第１画像データ生成部１０及び第２画像データ生成部２０は、パーソナルコンピューター１００の一部として構成されている。また、本実施形態においては、表示処理部３０は、電子ペーパー４０を含む表示装置２００の一部として構成されている。しかしながら、本発明はこれに限らず、例えば、第１画像データ生成部１０、第２画像データ生成部２０及び表示処理部３０の全てが表示装置２００の一部として構成されていてもよい。
【００４８】
本実施形態にかかる表示システム１及び表示システム２によれば、カラー画像Ｃ１に含まれる図形の外縁ピクセルの輝度と、外隣ピクセルの輝度との差を、カラー画像Ｃ１のデータよりも所与の値Ｅ１だけ大きくした第１画像データＤ１を面積階調化した第２画像データＤ２に基づいて電子ペーパー４０に画像を表示させるので、中間調で表現された図形の輪郭が強調された画像を表示できる。したがって、中間調で表現された文字などが視認しやすい表示システムを実現することができる。
【００４９】
また、電子ペーパー４０の輝度入出力特性は、正比例ではないのが通常である。このため、第１画像データ生成部１０が、外縁ピクセルの輝度と、外縁ピクセルと隣り合うピクセルの輝度との差に基づいて所与の値Ｅ１を決定することよって、所与の値Ｅ１を固定値とする場合に比べて、図形の輪郭が不自然に強調されることを抑制できる表示システムを実現することができる。
【００５０】
なお、第１画像データ生成部１０、第２画像データ生成部２０及び表示処理部３０がプログラムで実現されていてもよい。すなわち、本実施形態は、カラー画像Ｃ１に含まれる図形の外縁のピクセルである外縁ピクセルの輝度と、外縁ピクセルと隣り合うピクセルであって図形の外のピクセルである外隣ピクセルの輝度との差を、カラー画像Ｃ１のデータよりも所与の値Ｅ１だけ大きくした第１画像データＤ１を生成する第１画像データ生成部１０と、第１画像データＤ１を面積階調化した第２画像データＤ２を生成する第２画像データ生成部２０と、第２画像データＤ２に基づいて電子ペーパー４０に画像を表示させる処理を行う表示処理部３０と、してコンピューターを機能させる表示プログラムであってもよい。
【００５１】
この場合においても、第１画像データ生成部１０は、外縁ピクセルの輝度と、外縁ピクセルと隣り合うピクセルの輝度との差に基づいて、所与の値Ｅ１を決定する。
【００５２】
本実施形態にかかる表示プログラムによれば、カラー画像Ｃ１に含まれる図形の外縁ピクセルの輝度と、外隣ピクセルの輝度との差を、カラー画像Ｃ１のデータよりも所与の値Ｅ１だけ大きくした第１画像データＤ１を面積階調化した第２画像データＤ２に基づいて電子ペーパー４０に画像を表示させるので、中間調で表現された図形の輪郭が強調された画像を表示できる。したがって、中間調で表現された文字などが視認しやすい表示システムを実現できる表示プログラムを実現することができる。
【００５３】
また、電子ペーパー４０の輝度入出力特性は、正比例ではないのが通常である。このため、例えば、電子ペーパー４０を含む表示装置２００の一部となるコンピューターや、電子ペーパー４０を含む表示装置２００と通信回線で接続されたコンピューター（パーソナルコンピューター１００）などで実行される第１画像データ生成部１０が、外縁ピクセルの輝度と、外縁ピクセルと隣り合うピクセルの輝度との差に基づいて所与の値Ｅ１を決定することよって、所与の値Ｅ１を固定値とする場合に比べて、図形の輪郭が不自然に強調されることを抑制できる表示システムを実現できる表示プログラムを実現することができる。
【００５４】
図３は、本実施形態にかかる表示方法を説明するためのフローチャートである。以下では、本実施形態にかかる表示方法を、図１に示される表示システム１を用いて実現する例について説明する。
【００５５】
本実施形態にかかる表示方法は、カラー画像Ｃ１に含まれる図形の外縁のピクセルである外縁ピクセルの輝度と、外縁ピクセルと隣り合うピクセルであって図形の外のピクセルである外隣ピクセルの輝度との差を、カラー画像Ｃ１のデータよりも所与の値Ｅ１だけ大きくした第１画像データＤ１を生成する第１画像データ生成工程（ステップＳ１００）と、第１画像データＤ１を面積階調化した第２画像データＤ２を生成する第２画像データ生成工程（ステップＳ１０２）と、第２画像データＤ２に基づいて電子ペーパー４０に画像を表示させる処理を行う表示処理工程（ステップＳ１０４）と、を有する。
【００５６】
図３において、まず、カラー画像Ｃ１に含まれる図形の外縁のピクセルである外縁ピクセルの輝度と、外縁ピクセルと隣り合うピクセルであって図形の外のピクセルである外隣ピクセルの輝度との差を、カラー画像Ｃ１のデータよりも所与の値Ｅ１だけ大きくした第１画像データＤ１を生成する第１画像データ生成工程を行う（ステップＳ１００）。本実施形態においては、第１画像データ生成部１０が第１画像データ生成工程を行う。
【００５７】
第１画像データ生成工程では、外縁ピクセルの輝度と、外縁ピクセルと隣り合うピクセルの輝度との差に基づいて、所与の値Ｅ１を決定する。
【００５８】
ステップＳ１００の後に、第１画像データＤ１を面積階調化した第２画像データＤ２を生成する第２画像データ生成工程を行う（ステップＳ１０２）。本実施形態においては、第２画像データ生成部２０が第２画像データ生成工程を行う。
【００５９】
ステップＳ１０２の後に、第２画像データＤ２に基づいて電子ペーパー４０に画像を表示させる処理を行う表示処理工程を行う（ステップＳ１０４）。本実施形態においては、表示処理部３０が表示処理工程を行う。
【００６０】
本実施形態にかかる表示方法によれば、カラー画像Ｃ１に含まれる図形の外縁ピクセルの輝度と、外隣ピクセルの輝度との差を、カラー画像Ｃ１のデータよりも所与の値Ｅ１だけ大きくした第１画像データＤ１を面積階調化した第２画像データＤ２に基づいて電子ペーパー４０に画像を表示させるので、中間調で表現された図形の輪郭が強調された画像を表示できる。したがって、中間調で表現された文字などが視認しやすい表示方法を実現することができる。
【００６１】
また、電子ペーパー４０の輝度入出力特性は、正比例ではないのが通常である。このため、第１画像データ生成工程（ステップＳ１００）において、外縁ピクセルの輝度と、外縁ピクセルと隣り合うピクセルの輝度との差に基づいて所与の値Ｅ１を決定することよって、所与の値Ｅ１を固定値とする場合に比べて、図形の輪郭が不自然に強調されることを抑制できる表示方法を実現することができる。
【００６２】
２．第１画像データ生成部における処理の具体例
次に、第１画像データ生成部１０における処理の具体例について説明する。図４（Ａ）及び図４（Ｂ）は、カラー画像Ｃ１に含まれる図形と、外縁ピクセル、内部ピクセル及び外隣ピクセルとの位置関係を説明するための図である。
【００６３】
図４（Ａ）及び図４（Ｂ）において、図形は、太実線の内側の領域である。図４（Ａ）及び図４（Ｂ）において、外縁ピクセルは、網掛けされたピクセルである。図４（Ａ）及び図４（Ｂ）において、内部ピクセルは、左下斜線が付されたピクセルである。図４（Ａ）及び図４（Ｂ）において、外隣ピクセルは、右下斜線が付されたピクセルである。ピクセルは、カラー画像Ｃ１のデータにおける１ピクセルの画素（色情報を持つ最小要素）に相当する。
【００６４】
図４（Ａ）及び図４（Ｂ）に示されるように、外縁ピクセルは、図形内のピクセルであって、図形の外縁に接するピクセルである。また、内部ピクセルは、図形内のピクセルであって、図形の外縁に接していないピクセルである。また、外隣ピクセルは、外縁ピクセルと隣り合うピクセルであって、図形外のピクセルである。
【００６５】
図４（Ａ）には、図形が外縁ピクセルと内部ピクセルとから構成される例が示されている。図４（Ｂ）には、図形が外縁ピクセルのみから構成される例が示されている。
【００６６】
図５は、カラー画像Ｃ１のデータにおけるピクセルの配置を説明するための図である。図５において、第１画像データ生成部１０における処理での処理対象となる第０ピクセルが「０」と示されている。同様に、第０ピクセルの左隣りのピクセルである第１ピクセルが「１」、第０ピクセルの右隣りのピクセルである第２ピクセルが「２」、第０ピクセルの左上隣のピクセルである第３ピクセルが「３」、第０ピクセルの上隣のピクセルである第４ピクセルが「４」、第０ピクセルの右上隣のピクセルである第５ピクセルが「５」、第０ピクセルの左下隣のピクセルである第６ピクセルが「６」、第０ピクセルの下隣のピクセルである第７ピクセルが「７」、第０ピクセルの右下隣のピクセルである第８ピクセルが「８」と示されている。
【００６７】
以下の具体例の説明においては、第０ピクセルの輝度をｙ０、第１ピクセルの輝度をｙ１、第２ピクセルの輝度をｙ２、第３ピクセルの輝度をｙ３、第４ピクセルの輝度をｙ４、第５ピクセルの輝度をｙ５、第６ピクセルの輝度をｙ６、第７ピクセルの輝度をｙ７、第８ピクセルの輝度をｙ８とする。
【００６８】
２−１．第１具体例
第１具体例では、第１画像データ生成部１０が、外縁ピクセルの輝度と、外縁ピクセルと隣り合うピクセルの輝度との差に基づいて、所与の値Ｅ１を決定する方法の一例について説明する。
【００６９】
第１画像データ生成部１０における処理の後の第０ピクセルの輝度ｙｎｅｗを以下の式（１）とする。
【００７０】
ｙｎｅｗ＝ｙ０＋Δｙ  …（１）
【００７１】
本例においては、第１画像データ生成部１０は、以下の式（２）を用いてΔｙを算出する。
【００７２】
Δｙ＝｛４×ｙ０−（ｙ４＋ｙ１＋ｙ２＋ｙ７）｝×０．５  …（２）
【００７３】
図６は、第１具体例における係数イメージを示す図である。図６においては、最小の枠がそれぞれピクセルに対応する。図６には、図５と同じ配置で各ピクセルが配置され、枠内に各ピクセルの係数が示されている。式（２）及び図６に示されるように、本例においては、第０ピクセルの輝度と、第０ピクセルと隣り合うピクセル（第１ピクセル、第２ピクセル、第４ピクセル、第７ピクセル）の輝度との差に基づいて、Δｙを算出する。
【００７４】
図７は、カラー画像Ｃ１の一例を示す図である。図７には、枠内に各ピクセルの輝度が示されている。図７に示される例では、各ピクセルの輝度は０から２５５までの範囲で表されている。また、ピクセルＡは外縁ピクセルであるものとし、ピクセルＢは外隣ピクセルであるものとする。
【００７５】
図７に示される外縁ピクセルであるピクセルＡを第０ピクセルとした場合には、各ピクセルの輝度を式（２）に代入すると、以下の式（３）になる。
【００７６】
Δｙ＝｛４×１２８−（１２８＋２５５＋２５５＋１２８）｝×０．５
＝−１２７  …（３）
【００７７】
式（３）を式（１）に代入すると、以下の式（４）になる。
【００７８】
ｙｎｅｗ＝１２８−１２７
＝１  …（４）
【００７９】
したがって、第１画像データＤ１におけるピクセルＡの輝度は１となる。
【００８０】
図７に示される外隣ピクセルであるピクセルＢを第０ピクセルとした場合には、各ピクセルの輝度を式（２）に代入して小数点以下を切り捨てると、以下の式（５）になる。
【００８１】
Δｙ＝｛４×２５５−（２５５＋２５５＋１２８＋２５５）｝×０．５
＝６３  …（５）
【００８２】
式（５）を式（１）に代入すると、ｙｎｅｗの上限は２５５であるので、以下の式（６）になる。
【００８３】
ｙｎｅｗ＝２５５＋６３
＝２５５  …（６）
【００８４】
したがって、第１画像データＤ１におけるピクセルＢの輝度は２５５となる。
【００８５】
図８は、図７に示されるカラー画像Ｃ１から生成される第１画像データＤ１の一例を示す図である。図８には、図７と同じ配置で各ピクセルが配置され、枠内に各ピクセルの輝度が示されている。図８に示される例では、各ピクセル輝度は０から２５５までの範囲で表されている。
【００８６】
図７に示されるカラー画像Ｃ１においては、外縁ピクセルであるピクセルＡの輝度と、外隣ピクセルであるピクセルＢの輝度との差は、１２７である。一方、図８に示される第１画像データＤ１においては、外縁ピクセルであるピクセルＡの輝度と、外隣ピクセルであるピクセルＢの輝度との差は、２５４である。すなわち、第１画像データ生成部１０における処理によって、外縁ピクセルであるピクセルＡの輝度と、外隣ピクセルであるピクセルＢの輝度との差が、所与の値Ｅ１＝１２６だけ大きくなっている。
【００８７】
図９（Ａ）は、第１画像データＤ１に基づいて面積階調化したイメージを示す図、図９（Ｂ）は、カラー画像Ｃ１に基づいて面積階調化したイメージを示す図である。図９（Ａ）に示される図と図９（Ｂ）に示される図とを比較すると、図９（Ａ）に示される図の方が図形の輪郭が強調され、図形が視認しやすいことが分かる。
【００８８】
このように、本例によれば、中間調で表現された図形の輪郭が強調された画像を表示できる。したがって、中間調で表現された文字などが視認しやすい表示システム、表示プログラム及び表示方法を実現できる。
【００８９】
２−２．第２具体例
第２具体例では、第１画像データ生成部１０が、外縁ピクセルの輝度と、外縁ピクセルと隣り合うピクセルの輝度との差に基づいて、所与の値Ｅ１を決定する方法の一例について説明する。
【００９０】
第２具体例においては、第１画像データ生成部１０は、式（２）に代えて、以下の式（７）を用いてΔｙを算出する。
【００９１】
Δｙ＝｛１２×ｙ０−（（ｙ４＋ｙ１＋ｙ２＋ｙ７）×２＋（ｙ３＋ｙ５＋ｙ６＋ｙ８））｝×０．１２５  …（７）
【００９２】
図１０は、第２具体例における係数イメージを示す図である。図１０においては、最小の枠がそれぞれピクセルに対応する。図１０には、図５と同じ配置で各ピクセルが配置され、枠内に各ピクセルの係数が示されている。式（７）及び図１０に示されるように、本例においては、第０ピクセルの輝度と、第０ピクセルと隣り合うピクセル（第１ピクセル、第２ピクセル、第３ピクセル、第４ピクセル、第５ピクセル、第６ピクセル、第７ピクセル、第８ピクセル）の輝度との差に基づいて、Δｙを算出する。
【００９３】
図７に示される外縁ピクセルであるピクセルＡを第０ピクセルとした場合に、各ピクセルの輝度を式（７）に代入すると、以下の式（８）になる。
【００９４】
Δｙ＝｛１２×１２８−（（１２８＋２５５＋２５５＋１２８）×２＋（２５５＋２５５＋２５５＋２５５））｝×０．１２５
＝−１２７  …（８）
【００９５】
式（８）を式（１）に代入すると、以下の式（９）になる。
【００９６】
ｙｎｅｗ＝１２８−１２７
＝１  …（９）
【００９７】
したがって、第１画像データＤ１におけるピクセルＡの輝度は１となる。
【００９８】
図７に示される外隣ピクセルであるピクセルＢを第０ピクセルとした場合に、各ピクセルの輝度を式（７）に代入して小数点以下を切り捨てると、以下の式（１０）になる。
【００９９】
Δｙ＝｛１２×２５５−（（２５５＋２５５＋１２８＋２５５）×２＋（２５５＋１２８＋２５５＋１２８））｝×０．１２５
＝６３  …（１０）
【０１００】
式（１０）を式（１）に代入すると、ｙｎｅｗの上限は２５５であるので、以下の式（１１）になる。
【０１０１】
ｙｎｅｗ＝２５５＋６３
＝２５５  …（１１）
【０１０２】
したがって、第１画像データＤ１におけるピクセルＢの輝度は２５５となる。
【０１０３】
第２具体例においても、図７に示されるカラー画像Ｃ１から生成される第１画像データＤ１は、図８に示される図のようになる。
【０１０４】
図７に示されるカラー画像Ｃ１においては、外縁ピクセルであるピクセルＡの輝度と、外隣ピクセルであるピクセルＢの輝度との差は、１２７である。一方、図８に示される第１画像データＤ１においては、外縁ピクセルであるピクセルＡの輝度と、外隣ピクセルであるピクセルＢの輝度との差は、２５４である。すなわち、第１画像データ生成部１０における処理によって、外縁ピクセルであるピクセルＡの輝度と、外隣ピクセルであるピクセルＢの輝度との差が、所与の値Ｅ１＝１２６だけ大きくなっている。
【０１０５】
このように、本例によれば、第１具体例と同様に、中間調で表現された図形の輪郭が強調された画像を表示できる。したがって、中間調で表現された文字などが視認しやすい表示システム、表示プログラム及び表示方法を実現できる。
【０１０６】
なお、上述した実施形態及び変形例は一例であって、これらに限定されるわけではない。例えば各実施形態及び各変形例は、複数を適宜組み合わせることが可能である。
【０１０７】
本発明は、上述した実施形態及び具体例に限定されるものではなく、さらに種々の変形が可能である。例えば、本発明は、実施形態で説明した構成と実質的に同一の構成（例えば、機能、方法及び結果が同一の構成、あるいは目的及び効果が同一の構成）を含む。また、本発明は、実施形態で説明した構成の本質的でない部分を置き換えた構成を含む。また、本発明は、実施形態で説明した構成と同一の作用効果を奏する構成又は同一の目的を達成することができる構成を含む。また、本発明は、実施形態で説明した構成に公知技術を付加した構成を含む。
【符号の説明】
【０１０８】
１，２…表示システム、１０…第１画像データ生成部、２０…第２画像データ生成部、３０…表示処理部、４０…電子ペーパー、１００…パーソナルコンピューター、１１０…処理部、１２０…記憶部、１３０…通信部、２００…表示装置、２１０…処理部、２２０…記憶部、２３０…通信部、Ｃ１…カラー画像、Ｄ１…第１画像データ、Ｄ２…第２画像データ、Ｓ１…制御信号。
【図１】
2014017808.tif 000003
【図２】
2014017808.tif 000004
【図３】
2014017808.tif 000005
【図４】
2014017808.tif 000006
【図５】
2014017808.tif 000007
【図６】
2014017808.tif 000008
【図７】
2014017808.tif 000009
【図８】
2014017808.tif 000010
【図１０】
2014017808.tif 000011
【図９】
2014017808.tif 000012